(57)【要約】【課題】表示パネルが後退状態に移動された際に生じる衝突音の発生や、破損、反動による前方への移動を防止することができる表示パネル支持装置を提供する。【解決手段】表示パネル２を支持するための支持部材３と、壁に固定される壁固定部材４を備え、壁固定部材４に前記支持部材３を壁に沿う後退状態から壁より前方に離れた突出状態までの範囲で前後動自在に支持する可動支持手段が設けられる。支持部材３を前記後退状態の手前から緩衝しつつ後退状態となるまで駆動させるソフトクローズ手段４７を備える。【選択図】        図１
2010230937.tif 000002
【特許請求の範囲】
【請求項１】
表示パネルを支持するための支持部材と、壁に固定される壁固定部材を備え、壁固定部材に前記支持部材を壁に沿う後退状態から壁より前方に離れた突出状態までの範囲で前後動自在に支持する可動支持手段が設けられ、支持部材を前記後退状態の手前から緩衝しつつ後退状態となるまで駆動させるソフトクローズ手段を備えて成ることを特徴とする表示パネル支持装置。
【請求項２】
前記可動支持手段として支持部材と壁固定部材を連結する第一の連結部材及び第二の連結部材を備え、支持部材に第一の連結部材の一端部及び第二の連結部材の一端部の夫々が縦軸回りに回動自在に連結されるパネル側連結部が設けられると共に、壁固定部材に第一の連結部材の他端部及び第二の連結部材の他端部の夫々が縦軸回りに回動自在に連結される壁側連結部が設けられ、壁固定部材又は支持部材に所定のスライド範囲内で横方向にスライド自在となるスライド連結部が設けられて、該スライド連結部により前記第二の連結部材が連結される壁側連結部又はパネル側連結部のいずれか一方が構成され、スライド連結部をスライド範囲における所定位置から他の所定位置にまでスライドさせる引込手段と、該引込手段により前記所定位置から前記他の所定位置にスライドするスライド連結部のスライド動作を緩衝する緩衝手段を備え、これら引込手段と緩衝手段とで前記ソフトクローズ手段が構成されることを特徴とする請求項１に記載の表示パネル支持装置。
【請求項３】
前記スライド連結部が壁固定部材に設けられることを特徴とする請求項２に記載の表示パネル支持装置。
【発明の詳細な説明】
【技術分野】
【０００１】
本発明は液晶テレビやプラズマテレビ等の表示パネルを支持する装置に関する。
【背景技術】
【０００２】
近年、液晶テレビやプラズマテレビ等の平面状の表示パネルが普及している。このような表示パネルは、専用の支柱や支持脚を付設し、床上に直接又はテレビ台等のラック上に載せて設置したり、壁に金具で掛け止めしたりして、壁面に沿わせて設置するなどして使用されている。壁面に沿わせる設置形態として、表示パネルを壁面から前方へ突出させて使用するといった使用形態が提案されている（例えば特許文献１参照）。
【０００３】
特許文献１には、壁面に固定される壁固定部材（特許文献１中のベース部４）と、表示パネル（テレビ本体１）が支持される支持部材（ブラケット２）と、壁固定部材と支持部材とを蝶番を介して連結する連結部材（アーム部３）と、からなる表示パネル支持装置が開示されている。
【０００４】
連結部材は、その両端部が壁固定部材と支持部材の夫々に枢支され、表示パネルを壁面に沿わせた後退状態としたり、連結部材を壁固定部材に対して回動させて表示パネルを壁面から前方に突出させた突出状態とすることができる。
【先行技術文献】
【特許文献】
【０００５】
【特許文献１】特開２００７−１３２４１号公報
【発明の概要】
【発明が解決しようとする課題】
【０００６】
ところで、前記従来の表示パネル支持装置においては、過度に強い力で表示パネルを突出状態から後退状態としたとき等に、衝突音が生じたり、破損が生じたりする恐れがあり、特に表示パネルの重量が大きい場合には大きな衝突音が壁に伝わり、騒音が発生する恐れがある。また、表示パネルが勢いよく後退状態とされた場合には、衝突時の反動で表示パネルが前方に出てくることも懸念される。
【０００７】
本発明は上記従来の事情に鑑みて発明したものであって、表示パネルが後退状態に移動された際に生じる衝突音の発生や、破損、反動による前方への移動を防止することができる表示パネル支持装置を提供することを課題とする。
【課題を解決するための手段】
【０００８】
本発明に係る表示パネル支持装置は、表示パネル２を支持するための支持部材３と、壁に固定される壁固定部材４を備え、壁固定部材４に前記支持部材３を壁に沿う後退状態から壁より前方に離れた突出状態まで範囲で前後動自在に支持する可動支持手段が設けられる。そして、支持部材３を前記後退状態の手前から緩衝しつつ後退状態となるまで駆動させるソフトクローズ手段４７を備えることを特徴としている。
【０００９】
このような構成を有することで、ソフトクローズ手段４７により表示パネル２を後退状態の手前から緩衝しつつ後退状態となるまで駆動させることができ、これにより表示パネル２が勢いよく移動されて大きな衝突音が発生したり、破損が生じたりすることを防止できる。また、ソフトクローズ手段４７により表示パネル２は後退状態にまで引き込まれるので、表示パネル２が後退状態とされた際に反動で表示パネル２が前方に移動することも防止でき、表示パネル２を確実に壁に沿わせた後退状態とすることができる。
【００１０】
また、本発明の好ましい形態では、前記可動支持手段として支持部材３と壁固定部材４を連結する第一の連結部材１６及び第二の連結部材１７を備えている。また、支持部材３に第一の連結部材１６の一端部及び第二の連結部材１７の一端部の夫々が縦軸回りに回動自在に連結されるパネル側連結部２８が設けられると共に、壁固定部材４に第一の連結部材１６の他端部及び第二の連結部材１７の他端部の夫々が縦軸回りに回動自在に連結される壁側連結部２９が設けられる。また、壁固定部材４又は支持部材３に所定のスライド範囲内で横方向にスライド自在となるスライド連結部３４が設けられて、該スライド連結部３４により前記第二の連結部材１７が連結される壁側連結部２９又はパネル側連結部２８のいずれか一方が構成され、スライド連結部３４をスライド範囲における所定位置から他の所定位置にまでスライドさせる引込手段と、該引込手段により前記所定位置から前記他の所定位置にスライドするスライド連結部３４のスライド動作を緩衝する緩衝手段を備えている。そして、これら引込手段と緩衝手段とで前記ソフトクローズ手段４７が構成される。
【００１１】
このような構成を有することで、支持部材３と壁固定部材４を第一の連結部材１６と第二の連結部材１７との二つの連結部材で強固に連結でき、重量のある表示パネル２を支持することができ、このものにおいて表示パネル２が後退状態に移動された際に生じる衝突音の発生や、破損、反動による前方への移動を防止することができる。
【００１２】
また、前記スライド連結部３４が壁固定部材４に設けられることが好ましい。この場合、スライド連結部３４が壁に対して固定される固定側の壁固定部材４に設けられることで、スライド連結部３４を安定してスライドさせることができる。
【発明の効果】
【００１３】
本発明の表示パネル支持装置にあっては、表示パネルを壁に沿わせた後退状態から壁より前方に離れた突出状態となるまで移動できるようにしたものにおいて、表示パネルが後退状態に移動された際に生じる衝突音の発生や、破損、反動による前方への移動を防止することができる。
【図面の簡単な説明】
【００１４】
【図１】本発明の一実施形態を示し、表示パネルを壁面に対して傾けた状態にある表示パネル支持装置を前斜め上方より見た斜視図である。
【図２】同上の後斜め上方より見た斜視図である。
【図３】同上の前斜め上方より見た分解斜視図である。
【図４】同上の後斜め上方より見た分解斜視図である。
【図５】表示パネルを壁面に沿わせた状態を示し、（ａ）は前斜め上方より見た斜視図であり、（ｂ）は平面図である。
【図６】（ａ）は表示パネルを壁面と平行に壁面より突出させた状態の平面図であり、（ｂ）は表示パネルを壁面に対して傾けた状態の平面図である。
【図７】表示パネルを壁面に対して図６の場合と逆に傾けた状態を示し、（ａ）は前斜め上方より見た斜視図であり、（ｂ）は平面図である。
【図８】表示パネルを突出させた状態の要部拡大斜視図である。
【図９】表示パネルを後退させた状態の要部拡大斜視図である。
【発明を実施するための形態】
【００１５】
以下、本発明の一実施形態について添付図面に基づいて説明する。
【００１６】
本実施形態の表示パネル支持装置１は部屋の壁に取り付けられて、液晶テレビやプラズマテレビ、コンピュータのディスプレイ等の薄型で平面状の表示パネル２を支持するものである。
【００１７】
なお、以下では、壁に取り付けられた表示パネル支持装置１から見て室内側の方向（矢印Ｆ）を前方、壁側の方向（矢印Ｂ）を後方、後方を向いた時に部屋の壁面Ｗに沿う横方向を左右方向（矢印Ｌが左、矢印Ｒが右）と定義して説明する。
【００１８】
図１乃至図４に示すように、表示パネル支持装置１は、表示パネル２を支持する支持部材３と部屋の壁面Ｗに固定可能な壁固定部材４とを連結部材５で連結して構成されている。なお、図１中符号６はＤＶＤプレーヤーやビデオデッキ等の電気機器を載置するためのラックである。
【００１９】
支持部材３は上下左右の枠材７を左右に長い矩形状に枠組みして構成される。
【００２０】
支持部材３の前面には、表示パネル２を支持固定するための支持固定部として、支持部材３の左右の枠材７の上下にだるま孔８（図４参照）が形成されている。各だるま孔８は大径の上穴とこれに連通する小径の下穴とで構成されている。
【００２１】
他方、表示パネル２の背面における各だるま孔８に対応する箇所には、支持部材３に支持固定される被支持固定部として、基部の径が前記下穴より小さく、先部の径が上穴より小さく下穴より大きい突出部９が形成されている。
【００２２】
表示パネル２を支持部材３に支持固定するには、表示パネル２の各突出部９の先部をそれぞれ前方より支持部材３の対応するだるま孔８の上穴に挿通させ、続いて下穴に移動する。このようにすると、各突出部９の基部が対応するだるま孔８の下穴の下縁上に支持されると共に先部により抜け止めがなされ、表示パネル２が支持部材３に対して固定される。
【００２３】
壁固定部材４は、壁面Ｗに固定されるベースプレート１１と、ベースプレート１１の前面に固定されるメインプレート１２及びサブプレート１３で構成される。各プレート１１〜１３は正面視略矩形状でＳＵＳ等の金属からなる。
【００２４】
ベースプレート１１を壁面Ｗに取り付けるには、ベースプレート１１に穿設された多数の固着具挿通孔１４のうち任意の複数の固着具挿通孔１４にビス等の固着具（図示せず）を挿通し、これら固着具を壁面Ｗに固着する。
【００２５】
各固着具挿通孔１４は、図３、図４に示すように、左右方向に長い長孔からなる。このため、ベースプレート１１を部屋の壁面Ｗの所望位置に容易に取り付けることができる。
【００２６】
メインプレート１２とサブプレート１３はベースプレート１１に横方向に間隔をあけて又は隙間なく並べて固定されるが、その固定位置は任意に設定可能であり、またいずれを左又は右に位置させるかも任意に設定可能である。本実施形態では、図１に示すように、メインプレート１２が左側、サブプレート１３が右側に位置するように取り付けられている。
【００２７】
本実施形態では、連結部材５として、横長のメインアームからなる第一の連結部材１６と、横長のサブアームからなる第二の連結部材１７を備えており、すなわち、支持部材３と壁固定部材４は二つの連結部材１６、１７にて連結されている。そして、これら第一の連結部材１６及び第２の連結部材１７が、支持部材３を壁に沿う後退状態から壁より前方に離れた突出状態までの範囲で前後動自在に支持する可動支持手段を構成している。
【００２８】
第一の連結部材１６及び第二の連結部材１７は共に略矩形枠状に形成されている。各連結部材１６、１７の両側端部には被連結部２０が設けられている。支持部材３及び壁固定部材４の夫々には連結部材１６、１７の被連結部２０が連結される連結部２７が左右に離間して設けられている。
【００２９】
各連結部材１６、１７の一方の被連結部２０が支持部材３の対応する連結部２７に対して縦軸回りに回動自在に枢支され、各連結部材１６、１７の他方の被連結部２０が壁固定部材４の対応する連結部２７に対して縦軸回りに回動自在に枢支され、これにより支持部材３と壁固定部材４とが両連結部材１６、１７により連結されている。なお、前記「縦軸回りに回動自在」とは回動軸が上下方向と平行であることを意味する。
【００３０】
以下、被連結部２０は、特に区別する場合には、各連結部材１６、１７の支持部材３側に連結される被連結部２０をパネル側被連結部２１と記載し、各連結部材１６、１７の壁固定部材４側に連結される被連結部２０を壁側被連結部２２と記載する。同様に、連結部２７は、支持部材３に設けられた連結部２７をパネル側連結部２８と記載し、壁固定部材４に設けられた連結部２７を壁側連結部２９と記載する。
【００３１】
連結部材１６、１７の各被連結部２０は、連結部材１６、１７の上端部から上方に向けて突設された枢支軸部２３と、連結部材１６、１７の下端部から下方に向けて突設された枢支軸部２４とで構成されている。
【００３２】
支持部材３の背面における左右中央の上下にはパネル側ブラケット３０が設けられている。各パネル側ブラケット３０の左右２箇所にはパネル側軸受け３１が形成されている。
【００３３】
各パネル側ブラケット３０の左側のパネル側軸受け３１には第一の連結部材１６のパネル側被連結部２１を構成する上下の枢支軸部２３、２４が夫々回動自在に挿入されている。すなわち、本実施形態では両パネル側ブラケット３０の左側のパネル側軸受け３１によって第一の連結部材１６のパネル側被連結部２１が連結されるパネル側連結部２８が構成されている。
【００３４】
各パネル側ブラケット３０の右側のパネル側軸受け３１には第二の連結部材１７のパネル側被連結部２１を構成する上下の枢支軸部２３、２４が夫々回動自在に挿入されている。すなわち、本実施形態では両パネル側ブラケット３０の右側のパネル側軸受け３１によって第二の連結部材１７のパネル側被連結部２１が連結されるパネル側連結部２８が構成されている。
【００３５】
壁固定部材４のメインプレート１２の前面の上下には壁側ブラケット３２が設けられている。各壁側ブラケット３２には壁側軸受け３３が形成されている。各壁側ブラケット３２の壁側軸受け３３には第一の連結部材１６の壁側被連結部２２を構成する上下の枢支軸部２３、２４の夫々が回動自在に挿入されている。すなわち、本実施形態では両壁側ブラケット３２の壁側軸受け３３によって第一の連結部材１６の壁側被連結部２２が連結される壁側連結部２９が構成されている。
【００３６】
サブプレート１３の前面には第二の連結部材１７の壁側被連結部２２が縦軸回りに回動自在に枢支される壁側連結部２９が設けられている。つまり、本実施形態では、左側の壁側連結部２９と左側のパネル側連結部２８の夫々が第一の連結部材１７が連結される連結部を構成し、右側の壁側連結部２９と右側のパネル側連結部２８の夫々が第二の連結部材１７が連結される連結部を構成している。
【００３７】
両パネル側連結部２８及び左側の壁側連結部２９は支持部材３や壁固定部材４に対して固定されている。対して、右側の壁側連結部２９、すなわち、第二の連結部材１７の壁側被連結部２２が連結される壁側連結部２９は、壁固定部材４に対して左右方向にスライド自在に設けられたスライド連結部３４となっている。
【００３８】
図１に示すようにサブプレート１３の前面の上下には断面略コ字状をした左右に長いガイドレール３７、３８が設けられている。両ガイドレール３７、３８は上下に対向し、上のガイドレール３７には下方に開口するガイド溝３９が形成され、下のガイドレール３８には上方に開口するガイド溝４０が形成されている。
【００３９】
各ガイドレール３７、３８のガイド溝３９、４０には平面視円形のローラー４１、４２２が左右方向に転動自在に収納されている。各ローラー４１、４２には軸受け４３が形成されている。
【００４０】
各ローラー４１、４２の軸受け４３には第二の連結部材１７の壁側被連結部２２を構成する上下の枢支軸部２３、２４が夫々回動自在に挿入されている。つまり、本実施形態では、両ローラー４１、４２によりスライド連結部３４が構成されている。
【００４１】
各ガイドレール３７、３８の長手方向の両端部にはローラー４１、４２の移動を規制するストッパー（図示せず）が設けられている。これらストッパーによりスライド連結部３４の左右のスライド範囲が所定範囲に規制されている。なお、両パネル側連結部２８の左右の間隔は両壁側連結部２９の左右の間隔よりも常に短くなるよう設定されるものである。
【００４２】
上記の構成により、表示パネル支持装置１は、図５のように表示パネル２を壁面Ｗに沿わせた後退状態と、図６及び図７のように表示パネル２を壁面Ｗと大きく離間して前方に配置した突出状態とに変更できるようになっている。
【００４３】
図５に示す後退状態では、支持部材３及び各連結部材１６、１７は平面視で壁面Ｗと平行になっている。また、スライド連結部３４は他方の壁側連結部２９から最も離れた右端位置に配置されている。この後退状態では表示パネル２が部屋に居る人にとって邪魔にならず、部屋を広く利用できる。
【００４４】
図６及び図７に示す突出状態では、両連結部材１６、１７が前側程両連結部材１６、１７の間隔が狭くなるように壁固定部材４から前側に向けて突出し、スライド連結部３４はスライド範囲において右端位置よりも左側に配置されている。
【００４５】
前記後退状態から突出状態とするには、表示パネル２を支持部材３と共に手前に引いて、第一の連結部材１６を左側の壁側連結部２９を中心にして前方に回動させればよい。この第一の連結部材１６の回動に伴い、第二の連結部材１７はスライド連結部３４を中心に前方に回動し、また、スライド連結部３４が左方に向かって移動する。
【００４６】
逆に、前記突出状態から後退状態とするには、表示パネル２を支持部材３と共に後方に押し込んで、第一の連結部材１６を左側の壁側連結部２９を中心にして後方に回動すればよい。このときは、第一の連結部材１６の回動に伴い、第二の連結部材１７はスライド連結部３４を中心に壁面Ｗと平行になるまで後方に回動すると共にスライド連結部３４がスライド範囲の右端位置に位置するまで右方に向かって移動する。
【００４７】
突出状態における支持部材３の前後位置及び左右位置は第一の連結部材１６の前方への回動量（すなわち壁面Ｗに対する傾き）によって決まる。また、突出状態における支持部材３の平面視における壁面Ｗに対する傾きはスライド連結部３４の左右位置によって決まる。したがって、これら第一の連結部材１６の前方への回動量及びスライド連結部３４の左右位置を変更することで、表示パネル２を所望の位置及び傾きに変更できる。
【００４８】
図６（ａ）は突出状態において表示パネル２を壁面Ｗと平行にした状態を示し、両パネル側連結部２８が前後方向において同位置に配置されて支持部材３が壁面Ｗと平行になり、これによって表示パネル２の表示面を壁面Ｗと直交する前方に臨ませている。
【００４９】
図６（ｂ）及び図７は表示パネル２を壁面Ｗに対して傾けた状態を示している。
【００５０】
図６（ｂ）では左側のパネル側連結部２８が右側のパネル側連結部２８よりも後方に配置され、支持部材３をその左側が右側よりも後方に位置するよう傾斜させ、表示パネル２の表示面を左斜め前方に臨ませている。
【００５１】
図７では左側のパネル側連結部２８が右側のパネル側連結部２８よりも前方に配置され、支持部材３を左側が右側よりも前方に位置するよう傾斜させ、表示パネル２の表示面を右斜め前方に臨ませている。
【００５２】
なお、図１中符号４６は各パネル側被連結部２１のパネル側連結部２８に対する回動を規制するためのレバーであり、レバー４６を操作することで各パネル側被連結部２１をパネル側連結部２８に対して回動不能状態に切り替えることができるようになっている。
【００５３】
表示パネル支持装置１は、前記突出状態から後退状態とする際において、後退状態の直前の表示パネル２をゆっくりと自動的に後退状態へと移動させるソフトクローズ手段４７を備えており、表示パネル２はソフトクローズ手段４７の作動開始位置にあるときよりも前方に配置できるようにしてある。
【００５４】
前記ソフトクローズ手段４７は引込手段と緩衝手段で構成されている。
【００５５】
引込手段は、スライド連結部３４が左側からスライド範囲の右端位置の手前にまで移動したスライド連結部３４を右端位置まで駆動し、これによって第二の連結部材１７の壁側被連結部２２を右側に引き込んで、表示パネル２を支持する支持部材３を前記壁面Ｗに沿わせた後退状態とするものである。
【００５６】
引込手段は、スライド連結部３４に設けられた被キャッチ部４８と、サブプレート１３に設けられたソフトクローズユニット４９が有する引き込み機構部５０とで構成されている。
【００５７】
図８に示すようにスライド連結部３４を構成する上下のローラー４１、４２のうち下のローラー４２にはローラー４２の回動中心に位置する突起５１が下方に向けて突設されている。
【００５８】
ローラー４２が収納される下のガイドレール３８の底部には左右に長い長孔５２が形成されている。突起５１は長孔５２に左右方向にスライド自在に挿通されている。突起５１の下部はガイドレール３８の下方に突出し、この部分で被キャッチ部４８が構成されている。
【００５９】
引き込み機構部５０はガイドレール３８の直下に配置され、キャッチャー５５、キャッチャー５５を駆動する駆動部５６、及びガイド部材５７を備えている。
【００６０】
ガイド部材５７はソフトクローズユニット４９の右端部に固定的に設けられ、その左側面部で構成されたロック部５８と、前面部で構成されたレール部５９を備えている。
【００６１】
ガイド部材５７の内部には左右に長く左方及び前方に開口するスライド溝６０が形成されている。スライド溝６０の開口６１はロック部５８とレール部５９に跨って形成されている。
【００６２】
駆動部５６は、サブプレート１３に対して左右方向にスライド自在に設けられた左右に長い移動部材６２と、移動部材６２に対して右側に駆動する方向に弾性力を付勢する弾性部材６３とで構成されている。
【００６３】
弾性部材６３は移動部材６２の内部に収納された引張りばねにより構成されている。弾性部材６３は右側の端部がサブプレート１３に接続されると共に左側の端部が移動部材６２に接続され、この弾性部材６３によって移動部材６２は常に右方に向けて付勢されている。
【００６４】
キャッチャー５５は被キャッチ部４８に着脱自在に係合可能なものであり、移動部材６２の右端部に縦軸回りに回動自在に取り付けられている。
【００６５】
キャッチャー５５は上下の厚みが薄く、移動部材６２に枢支される枢支部６４と、枢支部６４の両側から突出する爪部６５ａ、６５ｂとで平面視略Ｕ字状に形成され、両爪部６５ａ、６５ｂの間には前側に開口する開口部６６が形成されている。
【００６６】
キャッチャー５５は、移動部材６２に対して、図８に示すように開口部６６が左斜め前方に向けて開口する待機姿勢から、図９に示すように開口部６６が前方に向けて開口する係合姿勢までの範囲で回動可能となっている。キャッチャー５５の左側には下方に突出する被ガイド部６７が形成されている。
【００６７】
キャッチャー５５を枢支する移動部材６２の右端部はガイド部材５７のスライド溝６０に左右方向にスライド自在に収納されている。キャッチャー５５の両爪部６５ａ、６５ｂはスライド溝６０を介してガイド部材５７の外方に突出している。
【００６８】
キャッチャー５５の被ガイド部６７は、キャッチャー５５が移動部材６２と共に左右方向に移動したときに、レール部５９の外面とロック部５８の外面とで構成されるガイド面に沿ってスライドされる。これによってキャッチャー５５は左右方向の移動に伴い図８のように被ガイド部６７がロック部５８の外面に沿った待機姿勢から、被ガイド部６７がレール部５９の外面に沿った係合姿勢までの範囲内でスムーズに回動する。
【００６９】
表示パネル支持装置１の第一の連結部材１６が前記後退位置よりも所定量以上前方に突出している状態にあるときには、キャッチャー５５は待機姿勢で且つ被ガイド部６７がロック部５８に当接した図８に示すロック状態となる。このロック状態におけるキャッチャー５５は右側の爪部６５ｂが左側の爪部６５ａよりも前方に位置して被キャッチ部４８の通過位置に配置され、また、左側の爪部６５ａが被キャッチ部４８の通過位置よりも後方に配置される。
【００７０】
表示パネル支持装置１を突出状態から後退状態とするとき、被キャッチ部４８はローラー４２と共に右方に移動する。このとき、被キャッチ部４８はローラー４２がスライド範囲の右端位置よりもやや左側に位置した時点（以下、所定位置と記載する）でキャッチャー５５に係合（キャッチ）される。
【００７１】
具体的には、ローラー４２が前記所定位置に向かって左側から移動してきたときには、まず被キャッチ部４８がロック状態にあるキャッチャー５５の左側の爪部６５ａの前方を通過してキャッチャー５５の右側の爪部６５ｂに当接する。被キャッチ部４８がさらに右側に移動すると、被キャッチ部４８によって右側の爪部６５ｂが右側に押圧され、これによってキャッチャー５５は待機姿勢から係合姿勢まで回動して開口部６６に被キャッチ部４８が係合される。また、これにより被ガイド部６７がロック部５８から外れて、弾性部材６３の弾性力によって移動部材６２及びキャッチャー５５が右方へ駆動する。
【００７２】
キャッチャー５５が右方へ駆動すると、該キャッチャー５５に係合された被ガイド部６７も右方に駆動され、図９のようにローラー４２がスライド範囲の右端位置に移動した時点で停止する。そして、このようにスライド連結部３４がスライド範囲の右端位置まで駆動されることにより、スライド連結部３４に連結された第二の連結部材１７の壁側被連結部２２が右方に駆動されて表示パネル支持装置１は自動的に前記後退状態となる。
【００７３】
逆に表示パネル支持装置１を前記後退状態から突出状態とされたときには、第一の連結部材１６の回動に伴い、ローラー４２が被キャッチ部４８及びこれに係合したキャッチャー５５と共に左方に移動し、スライド連結部３４（ローラー４２）がスライド範囲の前記所定位置に移動した時に被キャッチ部４８とキャッチャー５５の係合が外れる。
【００７４】
すなわち、ローラー４２がスライド範囲の右端位置から所定位置に向かって左方に移動すると、まず左方に移動する被キャッチ部４８によってキャッチャー５５の左側の爪部６５ａが左方に押圧され、これによりキャッチャー５５が係合姿勢を維持したまま移動部材６２と共に弾性部材６３の弾性力に抗して左側に移動する。
【００７５】
そして、ローラー４２が所定位置に移動した時点で、被ガイド部６７がレール部５９から外れてロック部５８に沿ったロック状態になると共に、キャッチャー５５の左側の爪部６５ａが被キャッチ部４８によって左方に押圧されて、キャッチャー５５が係合姿勢から待機姿勢まで回動し、これにより被キャッチ部４８とキャッチャー５５の係合が外れる（リリース）。そして、以後、キャッチャー５５から外れた被キャッチ部４８は第二の連結部材１７に連結されたローラー４２と共に左方へ移動する。
【００７６】
緩衝手段はスライド連結部３４が前記所定位置から右端位置にまで移動する際に、該スライド連結部３４の動作を緩衝し、これによって表示パネル２を支持する支持部材３の前記突出状態から後退状態とされる際に生じる衝撃を緩和するものである。
【００７７】
緩衝手段は、ソフトクローズユニット４９に設けたショックアブソーバー６８と、前記引込手段を構成する被キャッチ部４８、キャッチャー５５、及び移動部材６２で構成されている。
【００７８】
ショックアブソーバー６８は左右方向に伸縮する伸縮式で、且つ収縮時にのみ抵抗力を発生させるワンウェイ式のものであり、移動部材６２の直下に配置される。ショックアブソーバー６８は右側に配置されるシリンダー６９と、該シリンダー６９から左方に向けて出し入れ自在に設けられたロッド７０とで構成され、右側のシリンダー６９がサブプレート１３に接続され、左側のロッド７０が移動部材６２に接続されている。
【００７９】
このショックアブソーバー６８により、表示パネル支持装置１を突出状態から後退状態としたときの移動部材６２の右方への動作が緩衝される。したがって、駆動部５６によるキャッチャー５５の右方への駆動時おいては、キャッチャー５５に係合してキャッチャー５５と共に右方へ駆動するローラー４２の動作が緩衝され、この結果、後退状態となる手前の段階から後退状態となるまでの間は、壁固定部材４に対して回動する第一の連結部材１６の回動動作及び第一の連結部材１６に対して回動する支持部材３の回動動作が緩やかになる。
【００８０】
このため、仮に表示パネル支持装置１が後退状態にするために勢いよく動作されたとしても、例えばローラー４１、４２がストッパー部に当たる等して大きな衝突音が生じることを防止することができる。また、この緩衝手段は、表示パネル支持装置１が突出状態から後退状態とされたときに、表示パネル２や支持部材３等と壁面Ｗとの間に人体の一部が勢いよく挟まれることを防止することもでき、安全性を高めることができる。
【００８１】
なお、表示パネル支持装置１で支持される表示パネル２は、コンピュータの出力画面等のディスプレイであってもよく、また、この他に絵画や発光しないパネル等であってもよい。また、本実施形態の支持部材３は図２乃至図４に示すように表示パネル２とは別体であるが、表示パネル２と一体に形成されるものであってもよい。
【００８２】
また、各連結部材１６、１７の形状は板状や棒状等であってもよい。また、本実施形態では、各連結部２７を軸受けによって構成すると共に被連結部２０を軸部によって構成したが、逆に連結部２７を軸部によって構成すると共に被連結部２０を軸受けによって構成してもよい。
【００８３】
また、本実施形態では、引込手段や緩衝手段がローラー４２に対して作用する範囲をスライド範囲における右端位置よりもやや左側の位置から右端位置までとしたが、引込手段や緩衝手段が作用する開始位置及び終了位置はこれに限定されるものではない。
【００８４】
また、本実施形態では、第二の連結部材１７の壁側被連結部２２が連結される壁側連結部２９をスライド自在のスライド連結部３４としたが、第二の連結部材１７のパネル側被連結部２１に連結されるパネル側連結部２８を支持部材３に対して横方向にスライド自在に設けてもよい。
【００８５】
また、緩衝手段及び引込手段は下のローラー４２に作用するものとしたが、上のローラー４２に作用するものであってもよい。また、緩衝手段は表示パネル支持装置１が後退状態となる直前の状態から後退状態となる際に作用するものとしたが、表示パネル支持装置１が突出状態となる直前の状態から突出状態となる際に作用するものとしてもよく、さらに両方の場合に作用するものとしてもよい。
【００８６】
また、ショックアブソーバー６８の減衰を生じさせる抵抗体としては、オイル、エア、ばね等、従来から公知のいずれのものを用いてもよい。
【符号の説明】
【００８７】
１  表示パネル支持装置
２  表示パネル
３  支持部材
４  壁固定部材
５  連結部材
１６  第一の連結部材
１７  第二の連結部材
２７  連結部
２８  パネル側連結部
２９  壁側連結部
３４  スライド連結部
５５  キャッチャー
５６  駆動部
【図１】
2010230937.tif 000003
【図２】
2010230937.tif 000004
【図３】
2010230937.tif 000005
【図４】
2010230937.tif 000006
【図５】
2010230937.tif 000007
【図６】
2010230937.tif 000008
【図７】
2010230937.tif 000009
【図８】
2010230937.tif 000010
【図９】
2010230937.tif 000011